(57)【特許請求の範囲】
【請求項１】
表示装置を梱包箱に収納する表示装置の梱包構造であって、
前記表示装置は、表示面に対し略平行に配置される少なくとも１枚の光学シートと、
前記光学シートを照射する光源と
前記光源からの照明光を拡散させる拡散板と
前記拡散板に当接し前記拡散板を支持する支持体を備え、
前記梱包箱は、前記光学シートの面を鉛直方向から前記支持体側に傾斜して前記表示装置を収納するための収納部材を備える、
表示装置の梱包構造。
【請求項２】
前記表示装置は、前記光学シートの面に対して略直角で、前後に延びる脚部を接地部に有し、
前記収納部材は、前記脚部の前後どちらかの底面に当接する設置部材と、
当接しない側の脚部底面の下部に離れて配置され、梱包箱の開封時に前記表示装置の転倒を防止する転倒防止部材を備える、請求項１に記載の表示装置の梱包構造。
【発明の詳細な説明】
【技術分野】
【０００１】
本発明は、光学シートを備える表示装置の梱包構造に関する。
【背景技術】
【０００２】
従来の液晶表示装置の構造について、例えば特許文献１の図２に示されているように、表示パネル１は第１のフレーム部材４０３と第１のフレーム部材４０３の内側に設けられた第２のフレーム部材４０２によって鉛直に保持される。また、拡散板３０１、および光学シート３０２は、その上端を第１のスペーサ４０４と第３のフレーム部材４０１に挟持され、下端を第２のスペーサ４０５と第２のフレーム部材４０２によって挟持され、自重方向に対して上側の表示パネル１との間隔が広くなるように傾斜して配置される。
【０００３】
また、拡散板３０１の後方に配設されたバックライト２については、バックライト２の発する照明光が拡散板３０１、光学シート３０２、および表示パネル１を透過した後に均一な明るさとなるように、表示パネル１と拡散板３０１の間隔に応じて互いのピッチが変えられている。また、温度湿度変化による拡散板の変形を防止するために、特許文献１の図５に示されているように、第３のフレーム４０１に複数個の高さの異なる支持体８が植設され、その先端が拡散板３０１に当接されることにより拡散板３０１を支持する構造が用いられる。
【０００４】
以上のように、薄型表示装置の内部において拡散板３０１、および光学シート３０２が表示パネル１に対して傾斜して配置されることにより、搬送などで生じる振動時において特に剛性が低い光学シート３０２などが表示パネル１に接触し、表示パネル１に傷がついてしまうのを防止している。
【０００５】
【特許文献１】特開２００７−１７７３７号公報
【発明の開示】
【発明が解決しようとする課題】
【０００６】
しかしながら上記のような構造では、バックライト２のピッチを変えて配置する必要があり、また支持体８について上下で高さの異なる部品が必要となるため、設計時間や部品数の増加によりコストが上昇するといった問題があった。
【０００７】
この発明は上記のような問題を解消するためになされたもので、設計時間や部品数の増加によるコストの上昇を抑え、かつ表示装置を搬送する際に生じる振動により、光学シートが表示パネルに接触し表示パネルに傷がつくのを防止する梱包構造を得ることを目的とする。
【課題を解決するための手段】
【０００８】
本発明は、表示装置を梱包箱に収納する表示装置の梱包構造であって、表示装置は、表示面に対し略平行に配置される少なくとも１枚の光学シートと、前記光学シートを照射する光源と前記光源からの照明光を拡散させる拡散板と前記拡散板に当接し前記拡散板を支持する支持体を備え、前記梱包箱は、前記光学シートの面を鉛直方向から前記支持体側に傾斜して前記表示装置を収納するための収納部材を備えて構成される。
【発明の効果】
【０００９】
この発明では、梱包箱の底面に対して光学シートは傾斜して保持されるので、輸送中の垂直方向の振動で加振される光学シートは、水平方向の振幅量が自重の分力によって緩和されるため、表示パネルと光学シートの接触による傷付き、あるいは複数枚の光学シート間の傷つきを防止することが可能である。また、光学シートは表示パネルに対して略平行に配置され、通常は拡散板も光学シートに平行に配置されるので、バックライトのピッチは等間隔で配置されればよく、拡散板を支持する支持体については全て同サイズのものが使用できるので、コストの上昇を抑えることが可能である。
【発明を実施するための最良の形態】
【００１０】
以下、この発明をその実施の形態を示す図面に基づいて具体的に説明する。
【００１１】
（構成）
図１は本発明の実施の形態１を示す薄型表示装置１００の正面図、図２は図１のＩ−Ｉ’部分における要部断面図である。図２に示すように、表示パネル１０１は第１のフレーム１０２の内側に固着されたクッション１０３とスペーサ１０４によって、その外周部分を挟持され、バックライト１０９からの照明光を拡散させる拡散板１０５、および光学シート１０６ａ，１０６ｂは第２のフレーム１０７とスペーサ１０４にその外周部分を挟持され、表示パネル１０１と拡散板１０５、および光学シート１０６ａ，１０６ｂは表示面に対し略平行に配置される。
【００１２】
また、第２のフレーム１０７には同サイズの支持体１０８が等間隔に複数個植設される。一つの支持体１０８の底面には、バックライト（光源）１０９を保持する同サイズの保持部材１１０が、光学シート１０６ａ，１０６ｂに対して平行かつ等間隔に４箇所形成される。複数個の支持体１０８は、全てについてその先端が拡散板１０５の裏面に当接され、拡散板１０５を支持する。バックライト１０９は、上述した等間隔に形成される保持部材１１０によって保持されることにより、光学シート１０６ａ，１０６ｂの裏面方向において上下方向に全て等間隔に複数配置される。
【００１３】
支持体１０８は樹脂材料を金型を用いて射出成型によって製造されるものであり、比較的安価であり、同一形状の部品を多数個使用しても必要とされる金型は１個でよい。また、表示パネル１０１と拡散板１０５、および光学シート１０６ａ、１０６ｂは平行に配置されているので、バックライト１０９が等間隔に配置されてもバックライト１０９が発する照明光は拡散板１０５を透過して拡散され、表示パネル１０１は略均一な明るさで照射される。
【００１４】
第１のフレーム１０２、および第２のフレーム１０７は、図１に示す筐体１１１の内部に収納して固定される。筐体１１１は、前面および背面が表示パネル１０１と平行に形成されている。また、光学シート１０６ａ、１０６ｂの面に対して略直角で、前後に延びるスタンド（脚部）１１２が、筐体１１１の接地部２箇所に固定される。
【００１５】
次に、薄型表示装置１００が梱包箱に収納される際の、薄型表示装置１００の梱包構造を示す。図３は薄型表示装置１００が梱包された状態を示す正面図、図４は図３の断面II−II’部分の断面図、図５は全体の分解斜視図を示す。梱包箱は、下箱１１３、上箱１２８、および内部において薄型表示装置１００を鉛直方向から傾斜して収納するための収納部材により構成される。
【００１６】
梱包箱の下箱１１３の中央には発砲スチロール等で形成された緩衝部材１１４が設けられ、左右には夫々緩衝部材１１５が設けられ、その上面に形成された凹部１１６によって筐体１１１の底面と当接し、筐体１１１の前面の一部と背面の一部を挟持する。また、筐体１１１の両側面にはそれぞれ段ボールを折り曲げて形成された側板１１７が配置され、側板１１７には発砲スチロール等で形成された緩衝部材１１９、１２０が夫々固着され、前記緩衝部材によって筐体１１１の側面は挟持される。
【００１７】
このとき緩衝部材１１９、１２０はそれぞれ傾斜面１２１、１２２を有し、筐体１１１は傾斜面１２１、１２２に沿って傾斜する。傾斜の方向は、表示パネル１０１と下箱１１３の底面との角度αが９０°より少なくなる方向となる。
【００１８】
また、下箱１１３における中央の緩衝部材１１４と左右の緩衝部材１１５の間には、スタンド１１２底面の前方部分に当接する設置部材１３０を有する。設置部材１３０の後方部分には、梱包箱の開封時に前記薄型表示装置１００の転倒を防止するための転倒防止部材１２９が、段差を介して形成される。
【００１９】
側板１１７の上には天板１２３が設けられる。天板１２３には筐体１１１の上部を挟持するための緩衝部材１２４が固着されており、筐体１１１を下箱１１３に対して鉛直方向から傾斜した姿勢で保持させるために、緩衝部材１１４，１１５に形成された凹部１１６に対向した、凹部１２５が形成されている。
【００２０】
また、天板１２３には側板１１７に当接する緩衝材１２６、１２７が固着されている。緩衝材１２６、１２７は、上箱１２８により薄型表示装置１００が覆われた後、図示を省略したバンドで下箱１１３と上箱１２８を締め付けられたときに若干圧縮し、それにより側板１１７は下方向に押し付けられ、側板１１７のぐらつきが防止される。
【００２１】
ここで梱包時における薄型表示装置１００の状態について改めて記すと、薄型表示装置１００の筐体１１１は、緩衝部材１１５，１２４に形成された凹部１１６，１２５に当接しつつ、緩衝部材１１９，１２０によって挟持され、かつスタンド１１２の前方底面が設置部材１３０上に載置される。このとき、転倒防止部材１２９はスタンド１１２の後方底面の下部に離れて位置し、スタンド１１２は転倒防止部材１２９には当接しない。薄型表示装置１００は、これらの収納部材によって収納されることにより傾斜した状態で保持される。
【００２２】
（動作）
次に、薄型表示装置１００が梱包された状態における、振動時の薄型表示装置１００の動作を示す。
【００２３】
上述した姿勢を維持したまま輸送振動で拡散板１０５が加振されると、自重Ｗの水平方向の分力Ｐにより、拡散板１０５の支持体１０８との当接圧力は拡散板１０５が鉛直姿勢で保持されている場合よりも若干増大する。しかし、拡散板１０５の支持体１０８と接触している部分が輸送振動によって傷が付いたとしても、バックライト１０９から発する照明光の入射面であるため、発生した傷による影は入射面の裏面である出射面に至るまでに拡散され、表示パネル１０１の映像画質には影響しない。
【００２４】
また、拡散板１０５の自重Ｗの水平方向の分力Ｐと、輸送振動の加振力の内、拡散板１０５が表示パネル１０１の方向に振れようとする力は相反する方向なので、拡散板１０５が近接する方向の振幅が緩和される。すなわち、拡散板１０５の水平方向の分力Ｐが拡散板１０５を表示パネル１０１の反対側に引っ張る方向に加わるので、あたかも拡散板１０５を後方に糸で軽く引いて振れを防止した状態に等しくなる。
【００２５】
また、光学シート１０６ａ、１０６ｂは薄くて剛性が低いため拡散板１０５の振幅とともに前後に振れるが、拡散板１０５の前後の振幅量が減少すれば、それに応じて光学シート１０６ａ、１０６ｂの前後の振幅量も軽減し、自重の水平方向の分力によっても軽減する。
【００２６】
次に、開梱時における薄型表示装置１００の動作について、以下に示す。開梱の手順としては、上箱１２８、天板１２３、側板１１７の順に取り去られる。このとき、上述したようにあらかじめ薄型表示装置１００は傾斜した姿勢で梱包されており、またスタンド１１２の底面は前方部分のみが当接されているため、開梱途中で薄型表示装置１００がその自重の分力によって後方に回転する。しかし、若干角度回転するとスタンド１１２の後端が転倒防止部材１２９に当接するため、開梱途中で薄型表示装置１００は後方に転倒することなく停止する。
【００２７】
（効果）
本発明の効果として、隣接配置された複数枚の光学シートを傾斜させて保持したので、光学シート１０６ａ，１０６ｂが輸送振動で加振される際、水平方向の振幅量が光学シートの自重の水平方向の分力によって緩和され、光学シート１０６ａと光学シート１０６ｂが互いにこすれ合って傷付くことを防止することが可能であり、また光学シート１０６ａが表示パネル１０１に接触して表示パネル１０１を傷付けることも防止できる。
【００２８】
拡散板１０５についても鉛直方向から支持体１０８と拡散板１０５の当接方向に傾斜させたので、拡散板１０５が輸送振動で加振される際、水平方向の振幅量が自重の水平方向の分力によって緩和され、それに応じて光学シート１０６ａ、１０６ｂの前後の振幅量も軽減し、表示パネル１０１と光学シート１０６ａの接触による傷付きを防止できる。また、拡散板１０５と表示パネル１０１を平行に配置できるため、支持体１０８、およびバックライト１０９の保持部材１１０が上下で同一部品を使用でき、部品共用化によるコスト削減効果がある。
【００２９】
また、梱包箱の底面において、薄型表示装置１００におけるスタンド１１２の後方下部に、若干距離離れて転倒防止部材１２９が設けられているので、開梱時における装置本体の転倒を防止できる。
【００３０】
本発明の活用例として、大画面の液晶ディスプレー等の表示装置に適用できる。また、プラズマや有機ＥＬを用いた平面型表示装置でもよく、また光学シートからなるスクリーンと投写表示部を有する投写型表示装置であってもよい。
【図面の簡単な説明】
【００３１】
【図１】この発明に係る薄型表示装置の正面図である。
【図２】この発明に係る表示装置の要部断面図である。
【図３】この発明に係る表示装置の梱包状態を示す正面図である。
【図４】この発明に係る表示装置の梱包状態を示す要部断面図である。
【図５】この発明に係る表示装置の梱包状態を示す分解斜視図である。
【符号の説明】
【００３２】
１００  薄型表示装置、１０１  表示パネル、１０２  第１のフレーム、１０３  クッション、１０４  スペーサ、１０５  拡散板、１０６ａ，１０６ｂ  光学シート、１０７  第２のフレーム、１０８  支持体、１０９  バックライト、１１０  保持部材、１１１  筐体、１１２  スタンド、１１３  下箱、１１４，１１５，１１９，１２０，１２４  緩衝部材、１１６，１２５  凹部、１１７  側板、１２１，１２２  傾斜面、１２３  天板、１２６，１２７  緩衝材、１２８  上箱、１２９  転倒防止部材、１３０  設置部材、α  角度、Ｐ  分力、Ｗ  自重。
【図１】
0005084414.tif 000002
【図２】
0005084414.tif 000003
【図３】
0005084414.tif 000004
【図４】
0005084414.tif 000005
【図５】
0005084414.tif 000006